(57)【特許請求の範囲】
【請求項１】
映像光を投射するプロジェクタと、このプロジェクタからの映像光を反射する反射ミラーと、この反射ミラーからの映像光を受けて画像を映し出すスタンド型スクリーンとを備える背面投射型画像表示システムにおいて、
前記スタンド型スクリーンは、前記反射ミラーで反射される映像光を背面側で受けて正面側に画像を表示する光透過型のスクリーンシートと、このスクリーンシートを支持するスクリーン支持フレームと、前記スクリーンシートの左右方向に板面を臨ませて該スクリーンシートと平面視で直角を成す位置決め用板材とを備えて構成され、
前記位置決め用板材は、前記スクリーンシートの左右方向中心位置から左側または右側に所定距離隔てた位置に配置され、前記反射ミラーを囲繞するミラー枠には、前記反射ミラーの左右方向中心位置から前記位置決め用板材が配置された左側または右側と同じ側に前記所定距離と同距離隔てた位置を示す位置決め用目印が付されていることを特徴とする背面投射型画像表示システム。
【発明の詳細な説明】
【技術分野】
【０００１】
本発明は、プロジェクタから反射ミラーを介して投射される映像光を受けて画像を映し出すスタンド型スクリーンを具備する背面投射型画像表示システムに関するものである。
【背景技術】
【０００２】
従来の背面投射型画像表示システムとして、例えば図６に示されるようなものがある。図６に示される背面投射型画像表示システム１０１は、映像光を投射するプロジェクタ１０２と、このプロジェクタ１０２からの映像光を反射する反射ミラー１０３と、この反射ミラー１０３からの映像光を受けて画像を映し出すスタンド型スクリーン１０４とを備えている。ここで、スタンド型スクリーン１０４は、反射ミラー１０３で反射される映像光を背面側で受けて正面側に画像を表示する光透過型のスクリーンシート１０５と、このスクリーンシート１０５を支持するスクリーン支持フレーム１０６とを備えて構成されている。
【０００３】
なお、この種のスタンド型スクリーンおよび背面投射型画像表示システムは、例えば特許文献１にて知られている。
【特許文献１】特開２００６−２９２９０８号公報
【０００４】
ところで、歪みのない美しい画像を得るためには、反射ミラー１０３とスクリーンシート１０５の位置関係を平面視で平行にする必要がある。従来の背面投射型画像表示システム１０１においては、反射ミラー１０３とスクリーンシート１０５の平行位置関係を得るための平行位置調整方法として、（ａ）スクリーンシート１０５に映し出される画像の具合を見て反射ミラー１０３に対するスクリーンシート１０５の相対位置を調整するという方法、あるいは（ｂ）反射ミラー１０３とスクリーンシート１０５の距離をメジャーで計測しその計測結果に基づいて反射ミラー１０３に対するスクリーンシート１０５の相対位置を調整するという方法が実施されている。
【０００５】
しかしながら、前記（ａ）のスクリーンシート１０５に映し出される画像の具合に基づいて行われる平行位置調整方法では、調整を行う者の感覚に頼った調整法であるため、反射ミラー１０３とスクリーンシート１０５の平行位置関係を正確に構築することが困難であるという問題点がある。
一方、前記（ｂ）のメジャーで計測した計測結果に基づいて行われる平行位置調整方法では、反射ミラー１０３とスクリーンシート１０５の平行位置関係を正確に構築することが可能であるものの、メジャーを用いた計測作業が伴うため、手間と時間が掛かるという問題点がある。
【発明の開示】
【発明が解決しようとする課題】
【０００６】
本発明は、このような問題点を解消するためになされたもので、反射ミラーとスクリーンシートの平行位置関係を簡易な調整作業で正確かつ迅速に構築することができ、これよって歪みのない美しい画像を速やかに得ることのできる背面投射型画像表示システムを提供することを目的とするものである。
【課題を解決するための手段】
【０００７】
前記目的を達成するために、本発明による背面投射型画像表示システムは、
映像光を投射するプロジェクタと、このプロジェクタからの映像光を反射する反射ミラーと、この反射ミラーからの映像光を受けて画像を映し出すスタンド型スクリーンとを備える背面投射型画像表示システムにおいて、
前記スタンド型スクリーンは、前記反射ミラーで反射される映像光を背面側で受けて正面側に画像を表示する光透過型のスクリーンシートと、このスクリーンシートを支持するスクリーン支持フレームと、前記スクリーンシートの左右方向に板面を臨ませて該スクリーンシートと平面視で直角を成す位置決め用板材とを備えて構成され、
前記位置決め用板材は、前記スクリーンシートの左右方向中心位置から左側または右側に所定距離隔てた位置に配置され、前記反射ミラーを囲繞するミラー枠には、前記反射ミラーの左右方向中心位置から前記位置決め用板材が配置された左側または右側と同じ側に前記所定距離と同距離隔てた位置を示す位置決め用目印が付されていることを特徴とするものである。
【発明の効果】
【００１１】
本発明においては、反射ミラーとスクリーンシートとが平面視で平行な位置関係にない場合、スクリーンシートの正面側から位置決め用板材の左右方向配置位置に視線を通して反射ミラーを見ると、位置決め用板材の左右いずれかの板面が反射ミラーに映し出される。これに対し、反射ミラーとスクリーンシートとが平面視で平行な位置関係にある場合、スクリーンシートの正面側から位置決め用板材の左右方向配置位置に視線を通して反射ミラーを見ると、位置決め用板材の左右いずれの板面も反射ミラーに映し出されない。したがって、スクリーンシートの正面側から位置決め用板材の左右方向配置位置に視線を通して反射ミラーを見ながら、位置決め用板材の左右いずれの板面も反射ミラーに映らないように反射ミラーに対するスクリーンシートの相対位置を調整するといった簡易な調整作業により、反射ミラーとスクリーンシートの平行位置関係を正確かつ迅速に構築することができる。また、本発明によれば、ミラー枠に位置決め用目印が付されているので、スクリーンシートの左右方向中心位置と反射ミラーの左右方向中心位置とを一致させる位置決め作業も容易に行うことができる。こうして、歪みのない美しい画像を速やかに得ることができる。
【発明を実施するための最良の形態】
【００１４】
次に、本発明による背面投射型画像表示システムの具体的な実施の形態について、図面を参照しつつ説明する。
【００１５】
図１には、本発明の一実施形態に係る背面投射型画像表示システムの全体外観斜視図が示されている。また、図２には本実施形態の背面投射型画像表示システムの左側面図が、図３には同背面投射型画像表示システムの平面図がそれぞれ示されている。
【００１６】
図１に示される背面投射型画像表示システム１は、映像光を投射するプロジェクタ２と、プロジェクタ２の映像光投射方向側に設置される反射ミラー装置３と、反射ミラー装置３で反射される映像光を受けて画像を映し出すスタンド型スクリーン４とを備えている。
【００１７】
反射ミラー装置３は、プロジェクタ２からの映像光を反射する反射ミラー１１と、反射ミラー１１を所定高さ位置で支持するミラー支持フレーム１２とを備えて構成されている。
【００１８】
反射ミラー１１は、四角形状の平面鏡よりなり、ミラー保持フレーム１３に組み付けられている。ミラー保持フレーム１３は、反射ミラー１１を囲繞するミラー枠１４と、反射ミラー１１を背面側から支える背面板１５とより構成されている。ミラー保持フレーム１３は、ピン１６を介してミラー支持フレーム１２に回動可能に取り付けられており、反射ミラー１１が水平面に対して成す角度θ（図２参照）を調整することができるようになっている。
【００１９】
ここで、反射ミラー１１が水平面に対して成す角度θは、９０°〜９５°程度が好ましく、より好ましくは９２°程度である。その理由は、プロジェクタ２からの映像光を後述するスクリーンシート３１に向けて適正に反射することができるとともに、後述する立板４２の鏡像Ｍを反射ミラー１１に適正に映し出すことができるからである。
【００２０】
図１に示されるように、ミラー枠１４は、左右の縦桟部材１７，１８と上下の横桟部材１９，２０とが四角枠形状に組まれて構成されており、下側の横桟部材２０には、反射ミラー１１の左右方向中心位置を示す反射ミラー中心位置目印２１が付されるとともに、反射ミラー１１の左右方向中心位置から左側に所定距離Ｄだけ隔てた位置を示す位置決め用目印２２が付されている。
【００２１】
スタンド型スクリーン４は、反射ミラー１１で反射される映像光を背面側で受けて正面側に画像を表示する光透過型のスクリーンシート３１と、このスクリーンシート３１を所定高さ位置で支持するスクリーン支持フレーム３２とを備えて構成されている。
【００２２】
スクリーン支持フレーム３２は、スクリーンシート３１を囲繞するスクリーン枠３３と、スクリーン枠３３の左右両側に配され、スクリーン枠３３を支える左右の支柱部材３４，３５と、各支柱部材３４，３５の下端に接合され、前後方向に棒状に延びる左右のベース部材３６，３７と、所定高さ位置で左右の支柱部材３４，３５を繋ぐ横棒部材３８とを備えて構成されている。各ベース部材３６，３７の前後各端部にはキャスタ（方向自在小車輪）３９が取り付けられており、これらキャスタ３９によってスクリーン支持フレーム３２を円滑自在に動かすことができ、スタンド型スクリーン４の収納・設置作業は言うに及ばず、反射ミラー１１とスクリーンシート３１の平面視における平行位置関係を構築する際に、反射ミラー１１に対するスクリーンシート３１の相対位置を調整する平行位置調整作業をより容易に行うことができるようになっている。
【００２３】
横棒部材３８上には、プロジェクタ２を設置するためのプロジェクタ設置用板材４０が取り付けられている。このプロジェクタ設置用板材４０上には、図３に示されるように、スクリーンシート３１の左右方向中心位置を示すスクリーンシート中心位置目印４１が付され、このスクリーンシート中心位置目印４１からスクリーンシート３１の左側に向けて所定距離Ｄだけ隔てた位置に位置決め用板材４２（以下、「立板４２」という。）が配置されている。
【００２４】
立板４２は、スクリーンシート３１の左右方向に板面を臨ませてスクリーンシート３１と平面視で直角を成してプロジェクタ設置用板材４０上に立ち上がり状に設けられている。立板４２の下端縁には該立板４２に対し直角を成して左側に張り出すベース板４３が一体的に連設されており、このベース板４３が螺子止めや接着剤等の固着手段にてプロジェクタ設置用板材４０に固着されることにより、立板４２がプロジェクタ設置用板材４０を介してスクリーン支持フレーム３２に固定されている。本実施形態では、図２および図３に示されるように、スクリーン枠３３と立板４２との間の高さ位置において、スクリーンシート３１の正面側から立板４２の左右方向配置位置に視線Ｓを通して反射ミラー１１を見たとき、立板４２の鏡像Ｍが反射ミラー１１に映るように、プロジェクタ設置用板材４０に対する立板４２の設置位置や設置高さ寸法等が定められている。
【００２５】
ここで、立板４２の材質は、鉄、アルミニウム等の金属材料、木材、プラスチック材料など特に限定されるものではない。また、立板４２の厚み寸法は、１〜３ｍｍ程度であるのが好ましい。その理由は、反射ミラー１１に映し出される立板４２の左右いずれかの板面の鏡像ＭＬ，ＭＲと、反射ミラー１１に映し出される立板４２の反射ミラー１１に向けて臨ませた奥側周面部分の鏡像ＭＦとを明確に区別することができるからである。
【００２６】
以上に述べたように構成される背面投射型画像表示システム１において、反射ミラー１１とスクリーンシート３１とが平面視で平行な位置関係になく、図４に示されるように、スクリーンシート３１の左側部分よりも右側部分の方が反射ミラー１１に近いようなスクリーン右傾斜状態を呈して、反射ミラー１１に対しスクリーンシート３１が傾いている場合、スクリーンシート３１の正面側から立板４２の左右方向配置位置に視線Ｓを通して反射ミラー１１を見ると、反射ミラー１１には、立板４２の右側板面の鏡像ＭＲが映し出される。
【００２７】
また、反射ミラー１１とスクリーンシート３１とが平面視で平行な位置関係になく、図５に示されるように、スクリーンシート３１の右側部分よりも左側部分の方が反射ミラー１１に近いようなスクリーン左傾斜状態を呈して、反射ミラー１１に対しスクリーンシート３１が傾いている場合、スクリーンシート３１の正面側から立板４２の左右方向配置位置に視線Ｓを通して反射ミラー１１を見ると、反射ミラー１１には、立板４２の左側板面の鏡像ＭＬが映し出される。
【００２８】
図３に示されるように、反射ミラー１１とスクリーンシート３１とが平面視で平行な位置関係にある場合、スクリーンシート３１の正面側から立板４２の左右方向配置位置に視線Ｓを通して反射ミラー１１を見ると、反射ミラー１１には、立板４２の左右いずれの板面の鏡像ＭＬ，ＭＲも映し出されずに、立板４２の反射ミラー１１に向けて臨ませた奥側周面部分の鏡像ＭＦのみが映し出される。
したがって、スクリーンシート３１の正面側から立板４２の左右方向配置位置に視線Ｓを通して反射ミラー１１を見ながらスクリーン支持フレーム３２を適宜動かして、立板４２の左右いずれの板面の鏡像ＭＬ，ＭＲも反射ミラー１１に映らないように反射ミラー１１に対するスクリーンシート３１の相対位置を調整するといった簡易な調整作業により、反射ミラー１１とスクリーンシート３１の平行位置関係を正確かつ迅速に構築することができ、これよって歪みのない美しい画像を速やかに得ることができる。
【００２９】
次に、プロジェクタ２、反射ミラー１１およびスクリーンシート３１の三者間の平面視における光学的中心位置の調整作業について説明する。
【００３０】
まず、図３に示されるように、スクリーンシート３１の正面側から立板４２の左右方向配置位置に視線Ｓを通して反射ミラー１１を見ながら、反射ミラー１１に映る立板４２の奥側周面部分の鏡像ＭＦの左右方向位置が、ミラー枠１４に付されている位置決め用目印２２に一致するように、スクリーン支持フレーム３２を動かす。こうして、スクリーンシート３１の左右方向中心位置と反射ミラー１１の左右方向中心位置とを容易に一致させることができる。なお、このスクリーンシート３１と反射ミラー１１の左右方向中心位置を一致させる位置決め作業の前または後に、あるいは並行して前述した反射ミラー１１とスクリーンシート３１の平行位置調整作業が行われる。
【００３１】
次いで、図３に示されるように、プロジェクタ設置用板材４０に付されているスクリーンシート中心位置目印４１にプロジェクタ２のレンズ部２ａの中心位置を合わせるようにして、プロジェクタ２をプロジェクタ設置用板材４０上に置く。そして、プロジェクタ２から反射ミラー１１に向けて投射される映像光の左右方向中心位置が、ミラー枠１４に付されている反射ミラー中心位置目印２１に一致するように、プロジェクタ２の投射光軸の位置決めを行う。こうして、プロジェクタ２、反射ミラー１１およびスクリーンシート３１の三者間の平面視における光学的中心位置を容易に一致させることができる。
【００３２】
本実施形態の背面投射型画像表示システム１によれば、使用しない時にはプロジェクタ２、反射ミラー装置３およびスタンド型スクリーン４を別々の場所に収納して設置場所の有効利用を図ることができる。使用に際してはプロジェクタ２、反射ミラー装置３およびスタンド型スクリーン４をそれぞれ所定の場所に配置し、前述の平行位置調整作業および光学的中心位置調整作業をそれぞれ実施することにより、プロジェクタ２、反射ミラー１１およびスクリーンシート３１の光学的適正位置関係を正確かつ迅速に構築することができ、歪みのない美しい画像を速やかに得ることができる。
【００３３】
また、所望の画像サイズを得るために反射ミラー１１とスクリーンシート３１の距離を変化させる等の調整作業が行われるが、これによってプロジェクタ２、反射ミラー１１およびスクリーンシート３１の三者間の光学的適正位置関係に狂いが生じたとしても、前述の平行位置調整作業および光学的中心位置調整作業をそれぞれ実施することにより、それら三者間の光学的適正位置関係を速やかに再構築することができる。
【００３４】
以上、本発明のスタンド型スクリーンおよび背面投射型画像表示システムについて、一実施形態に基づいて説明したが、本発明は上記実施形態に記載した構成に限定されるものではなく、その趣旨を逸脱しない範囲において適宜その構成を変更することができるものである。
【００３５】
例えば、上記実施形態においては、立板４２に対し直角を成して一体的に連設されるベース板４３を螺子止めや接着剤等の固着手段にてプロジェクタ設置用板材４０に固着して該プロジェクタ設置用板材４０に対し立板４２を常に立ち上がり状に設ける態様例を示したが、これに限定されるものではなく、立板４２を蝶番を介してプロジェクタ設置用板材４０に取り付け、必要な時に立板４２を立ち上げ、不要な時は立板４２を寝かせておくような態様を採用してもよい。
【００３６】
また、上記実施形態においては、スクリーンシート中心位置目印４１からスクリーンシート３１の左側に向けて所定距離Ｄだけ隔てた位置に立板４２を配する態様例を示したが、これに限定されるものではなく、スクリーンシート中心位置目印４１からスクリーンシート３１の右側に向けて所定距離Ｄだけ隔てた位置に立板４２を配する態様を採用してもよい。なお、この場合、ミラー枠１４の下側の横桟部材２０には、前記位置決め用目印２２に代えて、反射ミラー１１の左右方向中心位置から右側に所定距離Ｄだけ隔てた位置を示す位置決め用目印が付されることになる。
【図面の簡単な説明】
【００３７】
【図１】本発明の一実施形態に係る背面投射型画像表示システムの全体外観斜視図
【図２】本実施形態の背面投射型画像表示システムの左側面図
【図３】本実施形態の背面投射型画像表示システムの平面図
【図４】本実施形態の背面投射型画像表示システムの平面図で、スクリーン右傾斜状態を表わす図
【図５】本実施形態の背面投射型画像表示システムの平面図で、スクリーン左傾斜状態を表わす図
【図６】従来の背面投射型画像表示システムの左側面図
【符号の説明】
【００３８】
１      背面投射型画像表示システム
２      プロジェクタ
３      ミラー装置
４      スタンド型スクリーン
１１    反射ミラー
１４    ミラー枠
２１    反射ミラー中心位置目印
２２    位置決め用目印
３１    スクリーンシート
３２    スクリーン支持フレーム
４０    プロジェクタ設置用板材
４１    スクリーンシート中心位置目印
４２    立板（位置決め用板材）
【図１】
0005021508.tif 000002
【図２】
0005021508.tif 000003
【図３】
0005021508.tif 000004
【図４】
0005021508.tif 000005
【図５】
0005021508.tif 000006
【図６】
0005021508.tif 000007